(57)【特許請求の範囲】
【請求項１】
掃除機本体を形成する下ケースと上ケースの後部側をネジ止め固定すると共に、前記上ケースの背面側に開口して隙間用吸込口等の補助吸込具を収納する吸込具収納部を備えた電気掃除機であって、
前記吸込具収納部の底壁に、その開口縁から吸込具収納位置の下方に達する凹部を形成すると共に、前記凹部に前記ネジ止め部を形成し、更に、前記ネジ止め部に対応して前記吸込具収納部の上壁開口縁に切欠部を形成したことを特徴とする電気掃除機。
【請求項２】
前記切欠部は、前記上壁開口縁から吸込具収納位置の上方に達する円弧状に形成されて成ることを特徴とする請求項１記載の電気掃除機。
【請求項３】
前記吸込具収納部の底壁に、収納された補助吸込具の脱落を防止する凸部を形成したことを特徴とする請求項１又は請求項２記載の電気掃除機。
【発明の詳細な説明】
【０００１】
【発明の属する技術分野】
本願発明は電気掃除機に係わり、特に隙間用吸込口等の補助吸込具を掃除機本体の背面側に開口する吸込具収納部に着脱自在に収納するようにした電気掃除機に関するものである。
【０００２】
【従来の技術】
一般的な電気掃除機（床移動型掃除機）は、電動送風機，集塵室，コードリール等を内蔵する本体ケースが下ケースと上ケース及び集塵蓋により形成されている。すなわち、電動送風機やコードリールを覆う上ケースが下ケースに後部側を含む複数箇所でネジ止め固定され、この上ケースの前部側に集塵室を開閉自在に覆う集塵蓋が設けられている。
【０００３】
また、掃除中に床用吸込具と差し替えて度々使われる隙間用吸込口等を手軽に使用できるよう、掃除機本体に隙間用吸込口等の補助吸込具を収納する吸込具収納部を備えたものが良く知られている。この場合、収納や取り出しの容易さや形成しやすさ等を考慮して、上ケースの背面側に開口する吸込具収納部を形成したものがある。
【０００４】
【発明が解決しようとする課題】
ところが、このような従来の電気掃除機においては、下ケースと上ケースの後部側のネジ止めを、通常のように上ケース上面から行うと、その下に形成された吸込具収納部をネジが貫通することになるので上ケース上面からは行うことができず、下ケース底面からネジ止めしなければならないため、上方からネジ廻しする通常の自動機によるネジ止めが困難になるという課題があった。
【０００５】
そこで、本願発明はこのような課題を解決するためになされたものであり、上ケースの背面側に開口する吸込具収納部を形成しても自動機によるネジ止めを容易に行うことができる電気掃除機を提供することを目的とするものである。
【０００６】
さらに、上記のような吸込具収納部への補助吸込具の着脱を容易に行うことができる電気掃除機を提供すること等を目的とするものである。
【０００７】
【課題を解決するための手段】
上記のような目的を達成するために、本願発明は、掃除機本体を形成する下ケースと上ケースの後部側をネジ止め固定すると共に、前記上ケースの背面側に開口して隙間用吸込口等の補助吸込具を収納する吸込具収納部を備えた電気掃除機であって、
前記吸込具収納部の底壁に、その開口縁から吸込具収納位置の下方に達する凹部を形成すると共に、前記凹部に前記ネジ止め部を形成し、更に、前記ネジ止め部に対応して前記吸込具収納部の上壁開口縁に切欠部を形成したことを特徴とするものである。
【０００８】
さらに、前記切欠部は、前記上壁開口縁から吸込具収納位置の上方に達する円弧状に形成されて成ることを特徴とするものである。
【００１０】
また、前記吸込具収納部の底壁に、収納された補助吸込具の脱落を防止する凸部を形成したことを特徴とするものである。
【００１１】
【発明の実施の形態】
以下、本願発明の実施形態を図１〜図９を参照して詳細に説明する。
【００１２】
本実施形態における床移動型の掃除機本体１は、内部に電動送風機，集塵室，電源コードを巻き取るコードリール等を内蔵する本体ケースが下ケース２と上ケース３及び集塵蓋４により形成されている。
【００１３】
すなわち、電動送風機やコードリールを覆う上ケース３が下ケース２に後部側を含む複数箇所でネジ止め固定され、この上ケース３の前部側に集塵室を開閉自在に覆う集塵蓋４が設けられている。
【００１４】
下ケース２の底面中央の前方には小さな前輪５が１個備えられ、後部両側には大きな後輪６，６が備えられている。また、下ケース２の背面側には、グリル７で覆われた排気口８が形成されている。
【００１５】
また、本体１上部には、上ケース３と集塵蓋４の間に回動自在に取り付けられた本体１持ち運び用のハンドル９が備えられている。
【００１６】
そして、上ケース３の後部には、その背面側に開口して隙間用吸込具１０を横に寝かせた状態に嵌め込み式で着脱自在に収納する吸込具収納部１１が形成されている。
【００１７】
上記吸込具収納部１１の底壁１２には、その開口縁から吸込具収納位置の下方に達する半円形状の凹部１３が形成され、その底部に上ケース３後部側を下ケース２にネジ止めするためのネジ止め部１４が形成されている。従って、このネジ止め部１４に形成されたネジ孔１５にネジ１６を差し込んでネジ込むことにより、上ケース３の後部側が下ケース２にネジ止め固定されるようになっている。
【００１８】
また、上記吸込具収納部１１において隙間用吸込口１０の径大部１０ａ側が収納される底壁１２には、収納された隙間用吸込口１０の脱落を防止するための凸部１７が形成され、この凸部１７と上壁間の間隔を隙間用吸込口１０の径大部１０ａの外径と同等に形成することにより、隙間用吸込口１０が脱落することなく、嵌め込み式で着脱自在に収納できるようになっている。
【００１９】
一方、この吸込具収納部１１の上壁１８の開口縁には、上記底壁１２側に形成されたネジ止め部１４に対応して図３等に示すように上ケース３上面からネジ孔１５が見えるような切欠部１９が形成されている。また、この切欠部１９は、上壁１８開口縁から吸込具収納位置の上方に達する円弧状に形成されている。
【００２０】
ところで、上ケース３の背面側に、上記のような隙間用吸込口１０脱落防止用の凸部１７が形成された吸込具収納部１１を成型する場合、凸部１７の奥側が金型構造上アンダーカットとなるため型抜きができなくなる。この場合、吸込具収納部１１を成型する側の金型にはアンダーカット部分を設けずに凸部１７の高さに合わせ、内側を成型する金型も凸部１７の高さに合わせることで、型抜きが可能となるが、凸部１７の奥側に図４に示すようなアンダーカット孔２０が形成されてしまう。このようなアンダーカット孔２０ができると、そこから排気漏れが生じてしまうので、排気漏れを防ぐためアンダーカット孔２０を塞ぐパッキン等の部品が別途必要になる。
【００２１】
そこで、本実施形態では、上記アンダーカット孔２０と位置的に対応して内装される図６，図７に示すようなコードリール支持部材２１を有効利用して、このコードリール支持部材２１に、上記アンダーカット孔２０に対応した位置に、対応した形状のリブ２２を形成するようにしている。
【００２２】
従って、本体１を組み立てると、図８，図９の断面図で示すように、上記コードリール支持部材２１に形成したリブ２２が、上ケース３側の吸込具収納部１１に形成されたアンダーカット孔２０にぴったりと嵌合し外観の一部となって孔２０が塞がれるので、パッキン等の別部品を用いることなく排気漏れが生じるのを防ぐことができるようになっている。
【００２３】
さて、本実施形態の本体１を組み立てるときには、上ケース３の背面側に開口する吸込具収納部１１が形成されていても、その底壁１２の凹部１３底面にあるネジ止め部１４に対応して上壁１８側に切欠部１９が形成されているので、上ケース３上面側からのネジ締めが可能となるため、自動機によるネジ止めを容易に行うことができるようになる。
【００２４】
また、上記切欠部１９は隙間用吸込口１０の収納位置の上方に達する円弧状に形成されているので、隙間用吸込口１０を持った手の甲等が上壁１８にぶつかることなく容易に着脱できる。さらに、底壁１２側には隙間用吸込口１０の収納位置の下方に達する凹部１３が形成されているので、隙間用吸込口１０を持った手の親指等が底壁１２にぶつかることなく容易に着脱できる。すなわち、本実施形態のものでは、隙間用吸込口１０を手で掴むようにして持ったまま容易に着脱できるので、極めて着脱しやすいものとなる。
【００２５】
また、底壁１２に形成した上記凹部１３内にネジ止め部１４があるので、隙間用吸込口１０を着脱するときに、隙間用吸込口１０がネジ頭に当たって傷付くような不具合も防ぐことができる。
【００２６】
また、隙間用吸込具１０を吸込具収納部１１に収納した状態では、ネジ止め部１４が上方から見えなくなるので、外観性も向上する。
【００２７】
【発明の効果】
以上のように本願発明によれば、上ケースの背面側に開口する吸込具収納部の底壁にネジ止め部を形成すると共に、このネジ止め部に対応して当該吸込具収納部の上壁開口縁に切欠部を形成したことにより、この切欠部を介して上ケース上面側から収納部底壁側のネジ止め部のネジ締めを行うことができるので、上ケースの背面側に開口する吸込具収納部を形成しても自動機によるネジ止めを容易に行うことができるようになる。また、前記吸込具収納部の底壁に、その開口縁から吸込具収納位置の下方に達する凹部を形成し、当該凹部に前記ネジ止め部を形成したことにより、補助吸込具の着脱が容易になると共に、ネジ頭で補助吸込具を傷つけるような不具合も防ぐことができる。
【００２８】
さらに、前記切欠部を、前記上壁開口縁から吸込具収納位置の上方に達する円弧状に形成したことにより、上記効果に加えて、補助吸込具の着脱を容易に行うことができる。
【００３０】
また、前記吸込具収納部の底壁に、収納された補助吸込具の脱落を防止する凸部を形成したことにより、上記のような効果に加えて、補助吸込具の着脱の容易さを損なうことなく、収納された補助吸込具の脱落を防ぐことができる。
【図面の簡単な説明】
【図１】本願発明の実施形態に係る電気掃除機を背面側斜め上方から見た斜視図。
【図２】上記実施形態において吸込具収納部に隙間用吸込口を収納した状態を示す背面図。
【図３】上記実施形態における上ケースの平面図。
【図４】同じく、上ケースの裏面図。
【図５】同じく、上ケースの要部縦断面図。
【図６】コードリール支持部材の側面図。
【図７】同じく、背面図。
【図８】上記上ケースの吸込具収納部に形成されるアンダーカット孔がコードリール支持部材に形成したリブで塞がれた状態を示す要部縦断面図。
【図９】上記図８で２点破線の丸で囲んだ部分の拡大断面図。
【符号の説明】
１  掃除機本体
２  下ケース
３  上ケース
４  集塵蓋
１０  隙間用吸込口
１１  吸込具収納部
１２  底壁
１３  凹部
１４  ネジ止め部
１５  ネジ孔
１６  ネジ
１７  凸部
１８  上壁
１９  切欠部
２０  アンダーカット孔
２１  コードリール支持部材
２２  リブ
【図１】
0003789670.tif 000002
【図２】
0003789670.tif 000003
【図３】
0003789670.tif 000004
【図４】
0003789670.tif 000005
【図５】
0003789670.tif 000006
【図６】
0003789670.tif 000007
【図７】
0003789670.tif 000008
【図８】
0003789670.tif 000009
【図９】
0003789670.tif 000010